(57)【要約】【課題】外部のＭＣＵとの通信量を低減して低消費電力化を図り、更に、外部のＭＣＵにおける低消費電力化及び低コスト化も図る。【解決手段】ＭＣＵ４０は、画像メモリ４１から読み出した旧画像データと新画像データを殆んど演算処理することなく、そのままシリアル通信で、最初にレジスタ５３，５４へ送る。そして、色を表示するために必要な波形データの組み合わせを、波形データシフトレジスタ５６から波形ラッチ回路５７に格納し、４ｔｏ１セレクタ５８−１，５８−２，・・・群により選択して出力する。これにより、波形データシフトレジスタ５６から波形ラッチ回路５７への外部のＭＣＵ４０からのデータ送信を、初期段階のみに抑えられる。【選択図】図１
2010231064.tif 000002
【特許請求の範囲】
【請求項１】
旧表示データと新表示データの関係から波形データが決定される表示パネルを駆動する表示駆動装置であって、
外部から与えられる前記新表示データを格納し、前記新表示データに基づいて生成される第１選択制御信号を出力する第１の回路と、
外部から与えられる前記旧表示データを格納し、前記旧表示データに基づいて生成される第２選択制御信号を出力する第２の回路と、
前記旧表示データと新表示データとの関係から決定される前記波形データを出力する波形ラッチ回路と、
前記第１及び第２制御信号に基づいて前記波形データを選択して出力するセレクタと、
選択された前記波形データを駆動して前記表示パネルに供給する駆動回路と、
を有することを特徴とする表示駆動装置。
【請求項２】
前記第１の回路は、
前記外部から与えられる前記新表示データを格納する第１データシフトレジスタと、
前記第１データシフトレジスタから前記新表示データを取り込み、前記新表示データに基づいて生成される前記第１選択制御信号を出力する第１データラッチ回路と、を有し、
前記第２の回路は、
前記外部から与えられる前記旧表示データを格納する第２データシフトレジスタと、
前記第２データシフトレジスタから前記旧表示データを取り込み、前記旧表示データに基づいて生成される前記第２選択制御信号を出力する第２データラッチ回路と、を有することを特徴とする請求項１記載の表示駆動装置。
【請求項３】
前記セレクタは、４種の波形データを選択して出力することを特徴とする請求項１または２記載の表示駆動装置。
【発明の詳細な説明】
【技術分野】
【０００１】
本発明は、表示器（例えば、パネルディスプレイ）を駆動するための表示駆動装置（例えば、集積回路（以下「ＩＣ」という。）で構成されたドライバＩＣ）、特に、その低消費電力回路方式に関するものである。
【背景技術】
【０００２】
従来、例えば、電子ペーパに利用される特定の波長（光）のみを反射する性質があるコレステリック液晶に代表される画像書き込み用の表示駆動装置は、市場が立ち上がっていない事もあり、既存のＳＴＮ（Super  Twisted  Nematic）の駆動装置等が流用されることが多く見受けられる。
【０００３】
電子ペーパでは、その利用しているコレステリック液晶の性質上、表示データの書き込み方法に特徴を有する。端的に言うと、新規表示するデータを書き込むだけの動作ではなく、旧表示データの状況に応じて前処理となる書き込みが必要となることが多い。このため、技術的にＳＴＮ駆動装置からの流れを汲み開発された電子ペーパ用駆動装置では、全表示リセット書き込み等の機能を備えたものが多く見受けられる。
【０００４】
図２は、従来のコレステリック液晶表示パネル（以下単に「液晶表示パネル」という。）に対する書き込み時における表示動作の代表例を示す図である。
【０００５】
液晶表示パネル１０は、複数の共通電極（即ち、コモン電極）ＣＯＭと、これに対して直交する複数のセグメント電極ＳＥＧとを有し、これらのコモン電極ＣＯＭとセグメント電極ＳＥＧとの交差箇所に、コレステリック液晶表示素子（以下単に「液晶表示素子」という。）１１がそれぞれ形成されている。液晶表示素子１１からなる画素（ＰＩＸＥＬ）は、コモン電極ＣＯＭに印加されるコモン電圧Ｖｃｏｍと、セグメント電極ＳＥＧに印加されるセグメント電圧Ｖｓｅｇと、が合成された合成電圧により色（例えば、モノクロ表示の白（Ｗｈｉｔｅ）と黒（Ｂｌａｃｋ））の表示を行う。
【０００６】
図２において、白（Ｗ）と黒（Ｂ）のモノクロ表示の場合、コモン電圧Ｖｃｏｍは、論理“Ｌ”（＝「０」）、「１／２」、“Ｈ”（＝「１」）に変化する。セグメント電圧Ｖｓｅｇは、“Ｌ”（＝「０」）、「１／２」、“Ｈ”（＝「１」）に変化する。コモン電圧Ｖｃｏｍとセグメント電圧Ｖｓｅｇが合成されたピクセル電圧Ｖｐｉｘｅｌは、論理“Ｌ”（＝「−１」）、「０」、“Ｈ”（＝「１」）に変化する。この３値の「０、１／２、１」は、２ビット（ｂｉｔ）で表現できる。
【０００７】
開始（ＢＥＧＩＮ）から終了（ＥＮＤ）までの出力位相期間（１）〜（５）は、液晶表示パネル１０への新規画像書き込みのための表示駆動装置の出力波形を示している。図２の表示動作例では、コモン電極ＣＯＭに印加するコモン電圧Ｖｃｏｍとして論理“Ｈ”−“Ｌ”を２回繰り返す。この期間中に各画素（ＰＩＸＥＬ）に対するセグメント電圧Ｖｓｅｇを旧表示と新表示の関係から黒（Ｂ）書き込みと白（Ｗ）書き込みを繰り返さなければならない。これが、先に述べた旧表示データの状況に応じて必要となる前処理の書き込みである。
【０００８】
図２では、Ｖｃｏｍ＞Ｖｓｅｇで黒（Ｂ）書き込み、Ｖｃｏｍ＜Ｖｓｅｇで白（Ｗ）書き込み、Ｖｃｏｍ＝Ｖｓｅｇで表示変化なしとなる。なお、表示パネルの特性上、この大小関係の判定には、ある閾値（スレッショルド）電圧をもち、電位差が閾値電圧を越えた場合にのみ大小関係が成立し、その色の書き込みが行われる。
【０００９】
図３は、従来の電子ペーパ用表示駆動装置を示す概略の回路構成図である。
メモリ制御装置であるマイクロコントローラユニット（以下「ＭＣＵ」という。）２０及び画像メモリ２１には、表示駆動装置３０が接続され、この表示駆動装置３０に、液晶表示パネル１０が接続されている。
【００１０】
液晶表示パネル１０は、複数のコモン電極ＣＯＭと、これに対して直交する複数のセグメント電極ＳＥＧ１〜ＳＥＧｘとを有し、これらのコモン電極ＣＯＭとセグメント電極ＳＥＧ１〜ＳＥＧｘとの交差箇所に、液晶表示素子１１がそれぞれ形成されている。なお、説明を簡単にするために、コモン電極ＣＯＭは、１本のみ図示されている。
【００１１】
ＭＣＵ２０は、画像データＤＡＴＡを格納するための画像メモリ２１をアクセスする機能と、クロック信号ＳＣＬＫ、ラッチイネーブル信号ＬＮ、及びシステムリセット信号ｎＲＥＳＥＴを出力して表示駆動装置３０を制御する機能を有している。
【００１２】
表示駆動装置３０は、ＭＣＵ２０により制御され、このＭＣＵ２０によりアクセスされる画像メモリ２１から供給されるシリアル画像データＤＡＴＡに基づき、液晶表示パネル１０を駆動して画像表示させる装置である。この表示駆動装置３０は、クロック信号ＳＣＬＫに基づきシリアル画像データＤＡＴＡを順次取り込むデータシフトレジスタ３１を有し、この出力側に，データラッチ回路３２が接続されている。データラッチ回路３２は、ラッチイネーブル信号ＬＮにより、データシフトレジスタ３１から出力されるパラレル画像データをラッチする回路であり、この出力側に、ドライバ３３が接続されている。ドライバ３３は、データラッチ回路３２から出力されるパラレル画像データを駆動し、セグメント電圧Ｖｓｅｇ１〜Ｖｓｅｇｘ及びコモン電圧Ｖｃｏｍをセグメント電極ＳＥＧ１〜ＳＥＧｘ及びコモン電極ＣＯＭへそれぞれ供給する回路である。
【００１３】
このような表示駆動装置３０に関して、例えば、下記の特許文献１には、メモリ性を有する液晶表示素子１１のコモン電極ＣＯＭを駆動するための表示駆動装置の技術が開示されている。
【００１４】
表示駆動装置３０を制御するためのＭＣＵ２０では、液晶表示パネル１０に対する書き換え動作として、例えば、次の（ａ）〜（ｅ）の処理を５回繰り返す。
【００１５】
（ａ）  画像メモリ２１から前回表示していた白又は黒の画像データＤＡＴＡを読み出す。
【００１６】
（ｂ）  画像メモリ２１から今回表示したい白又は黒の画像データＤＡＴＡを読み出す。
【００１７】
（ｃ）  演算又はロード（Ｌｏａｄ）により、前記（ａ）、（ｂ）の画像データＤＡＴＡから液晶表示パネル１０へ出力すべき電圧レベルを決定する。
【００１８】
（ｄ）  出力電圧情報である全セグメント電圧Ｖｓｅｇ１〜Ｖｓｅｇｘ及びコモン電圧Ｖｃｏｍの画像データＤＡＴＡを、シリアル通信にて表示駆動装置３０へ転送する。
【００１９】
（ｅ）  ラッチイネーブル信号ＬＮをアサートし、ドライバ３３の出力電圧を変更（即ち、ドライブ）する。
【００２０】
このようなＭＣＵ２０の制御により、表示駆動装置３０は、次のように動作する。
データシフトレジスタ３１において、シリアル通信を使用し、ドライバ出力するための画像データＤＡＴＡを内部に取り込み、全ての画像データＤＡＴＡを取り込んだ後、ラッチイネーブル信号ＬＮにて一気にデータラッチ回路３２に取り込む。データラッチ回路３２に取り込まれたデータ“Ｈ”又は“Ｌ”に沿った電圧が、ドライバ３３で駆動されて液晶表示パネル１０へ出力され、液晶表示パネル１０への書き込みが行われる。
【先行技術文献】
【特許文献】
【００２１】
【特許文献１】特開２００１−２８２１９２号公報
【発明の概要】
【発明が解決しようとする課題】
【００２２】
しかしながら、従来の表示駆動装置３０では、次のような課題があった。
例えば、図２に示すような出力波形を得るためには、ＭＣＵ２０からデータシフトレジスタ３１へ、画像データＤＡＴＡのシリアル転送を５×２回繰り返し、出力すべき情報をデータラッチ回路３２に書き込む必要がある。ここで、「５×２回」における「２」は、出力が３値をとるためデータ量として２ｂｉｔとなることを示している。
【００２３】
セグメント電極ＳＥＧ１〜ＳＥＧｘの数が少ない場合はあまり問題とはならないが、セグメント電極ＳＥＧ１〜ＳＥＧｘの数が増えれば増える程、書き込みに要する消費電力が増大することとなり、又、画像データＤＡＴＡの書き込みと処理を行うＭＣＵ２０の負担が大きくなる。ＭＣＵ２０の負担が大きいということは、このＭＣＵ２０で消費される電力も単純に増大することとなる。
【課題を解決するための手段】
【００２４】
本発明の表示駆動装置は、旧表示データと新表示データの関係から波形データが決定される表示パネルを駆動する表示駆動装置であって、外部から与えられる前記新表示データを格納し、前記新表示データに基づいて生成される第１選択制御信号を出力する第１の回路と、外部から与えられる前記旧表示データを格納し、前記旧表示データに基づいて生成される第２選択制御信号を出力する第２の回路と、前記旧表示データと新表示データとの関係から決定される前記波形データを出力する波形ラッチ回路と、前記第１及び第２制御信号に基づいて前記波形データを選択して出力するセレクタと、選択された前記波形データを駆動して前記表示パネルに供給する駆動回路とを有することを特徴とする。
【発明の効果】
【００２５】
本発明によれば、外部の制御装置との通信量を低減することができ、これにより消費電力を低減できる。しかも、前記制御装置は、低性能のものであっても本発明の表示駆動装置を動作させることができるので、前記制御装置における低消費電力化及び低コスト化も図ることができる。
【図面の簡単な説明】
【００２６】
【図１】図１は本発明の実施例１における表示駆動装置を示す概略の回路構成図である。
【図２】図２は従来の液晶表示パネルに対する書き込み時における表示動作を示す図である。
【図３】図３は従来の表示駆動装置を示す概略の回路構成図である。
【発明を実施するための形態】
【００２７】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００２８】
（実施例１の構成）
図１は、本発明の実施例１における電子ペーパ用表示駆動装置を示す概略の回路構成図である。
【００２９】
外部の制御装置（例えば、メモリ制御装置であるＭＣＵ）４０及び画像メモリ４１には、表示駆動装置５０が接続され、この表示駆動装置５０に、従来と同様の液晶表示パネル１０が接続されている。
【００３０】
ＭＣＵ４０は、画像データＤＡＴＡを格納するための画像メモリ４１をアクセスする機能と、複数の制御信号を出力して表示駆動装置５０を制御する機能を有している。複数の制御信号は、例えば、シリアル通信で転送する種類を通知する信号ＣＬＫＳＥＬ［１：０］、シリアルデータ転送用クロック信号ＳＣＬＫ、シリアルデータ転送用の画像データＤＡＴＡ、シリアル転送された画像データＤＡＴＡをラッチさせるためのラッチイネーブル信号ＬＮ、シリアル通信で転送された波形データをラッチさせるためのラッチイネーブル信号ＷＬＮ、及びシステムリセット信号ｎＲＥＳＥＴである。
【００３１】
表示駆動装置５０は、ＭＣＵ４０により制御され、このＭＣＵ４０によりアクセスされる画像メモリ４１から供給されるシリアル画像データＤＡＴＡに基づき、液晶表示パネル１０を駆動して画像表示させる装置である。この表示駆動装置５０は、クロックセレクタ５１を有し、この出力側に、記憶手段又はデータ保持手段（例えば、新ＳＥＧデータシフトレジスタ５２、旧ＳＥＧデータシフトレジスタ５３、及びセグメント・コモン出力用の波形データシフトレジスタ５６）が接続されている。新ＳＥＧデータシフトレジスタ５２の出力側には、新ＳＥＧデータラッチ回路５４が接続されると共に、旧ＳＥＧデータシフトレジスタ５３の出力側に、旧ＳＥＧデータラッチ回路５５が接続されている。波形データシフトレジスタ５６の出力側には、波形ラッチ回路５７が接続され、この波形ラッチ回路５７の出力側に、セレクタ（例えば、４ｔｏ１セレクタ５８−１，５８−２，・・・群）を介して、ドライバ５９が接続されている。
【００３２】
クロックセレクタ５１は、信号ＣＬＫＳＥＬ［１：０］、及びクロック信号ＳＣＬＫに基づき、シフトレジスタ５２，５３，５６のどれにシリアル通信データを格納して行くかを制御するものである。新ＳＥＧデータシフトレジスタ５２は、クロックセレクタ５１の制御により、シリアル新画像データＤＡＴＡを取り込んでパラレルデータに変換するためのレジスタである。旧ＳＥＧデータシフトレジスタ５３は、クロックセレクタ５１の制御により、シリアル旧画像データＤＡＴＡを取り込んでパラレルデータに変換するためのレジスタである。
【００３３】
新ＳＥＧデータラッチ回路５４は、ラッチイネーブル信号ＬＮにより、新ＳＥＧデータシフトレジスタ５２からのパラレルデータを取り込む回路である。また、新ＳＥＧデータラッチ回路５４は、後述の４ｔｏ１セレクタ５８−１，５８−２，・・・群に第１選択制御信号を出力する。第１選択制御信号は、新ＳＥＧデータシフトレジスタ５２からのパラレルデータに基づいて生成される信号、すなわち、シリアル新画像データＤＡＴＡに基づいて生成される信号である。旧ＳＥＧデータラッチ回路５５は、ラッチイネーブル信号ＬＮにより、旧ＳＥＧデータシフトレジスタ５３からのパラレルデータを取り込む回路である。また、旧ＳＥＧデータラッチ回路５３は、後述の４ｔｏ１セレクタ５８−１，５８−２，・・・群に第２選択制御信号を出力する。第２選択制御信号は、旧ＳＥＧデータシフトレジスタ５１からのパラレルデータに基づいて生成される信号、すなわち、シリアル旧画像データＤＡＴＡに基づいて生成される信号である。セグメント及びコモン出力用の波形データシフトレジスタ５６は、クロックセレクタ５１の制御により、シリアル波形データＤＡＴＡを取り込んでパラレル波形データに変換するためのレジスタである。波形ラッチ回路５７は、ラッチイネーブル信号ＷＬＮにより、波形データシフトレジスタ５６からのパラレル波形データを取り込む回路である。
【００３４】
４ｔｏ１セレクタ５８−１，５８−２，・・・群は、新ＳＥＧデータラッチ回路５４及び旧ＳＥＧデータラッチ回路５５から出力される第１及び第２選択制御信号に基づき、波形ラッチ回路５７からの波形データの内の旧画像と新画像の４種類の組み合わせ（４ｔｏ１）の波形データを選択する回路である。更に、ドライバ５９は、ｔｏ１セレクタ５８−１，５８−２，・・・群で選択された波形データを駆動し、セグメント電圧Ｖｓｅｇ１〜Ｖｓｅｇｘ及びコモン電圧Ｖｃｏｍをセグメント電極ＳＥＧ１〜ＳＥＧｘ及びコモン電極ＣＯＭへそれぞれ供給する回路である。
【００３５】
（実施例１の動作）
表示駆動装置５０を制御するためのＭＣＵ４０では、液晶表示パネル１０に対する書き換え動作として、例えば、次の（ａ）〜（ｇ）の処理を行う。
【００３６】
（ａ）  画像メモリ４１から前回表示していた白（Ｗ）又は黒（Ｂ）の画像データＤＡＴＡを読み出す。
【００３７】
（ｂ）  前記（ａ）の画像データＤＡＴＡを旧ＳＥＧデータシフトレジスタ５３へシリアル通信にて転送する。
【００３８】
（ｃ）  画像メモリ４１から今回表示したい白（Ｗ）又は黒（Ｂ）の画像データＤＡＴＡを読み出す。
【００３９】
（ｄ）  前記（ｃ）の画像データＤＡＴＡを新ＳＥＧデータシフトレジスタ５２へシリアル通信にて転送する。
【００４０】
（ｅ）  ラッチイネーブル信号ＬＮをアサートし、組み合わせ画像データＤＡＴＡを旧ＳＥＧデータラッチ回路５５及び新ＳＥＧデータラッチ回路５４にそれぞれ保存させる。
【００４１】
（ｆ）  シリアル通信にて、各組み合わせ４種のセグメント情報（Ｗ→Ｗ，Ｗ→Ｂ，Ｂ→Ｗ，Ｂ→Ｂ）とコモン情報とに関して、出力電圧情報のデータＤＡＴＡを波形データシフトレジスタ５６へ転送する。
【００４２】
（ｇ）  ラッチイネーブル信号ＷＬＮをアサートし、波形データシフトレジスタ５６のパラレル出力データを波形ラッチ回路５７に保存させた後、４ｔｏｌセレクタ５８−１，５８−２，・・・群とドライバ５９を介して、表示駆動装置５０の出力電圧を変更（即ち、ドライブ）する。
【００４３】
前記（ｆ）〜（ｇ）を５回繰り返すことにより、液晶表示パネル１０への書き換え動作を行わせる。
【００４４】
このようなＭＣＵ４０の制御により、表示駆動装置５０は、以下のステップＳ１〜Ｓ１１に従って動作する。
【００４５】
ステップＳ１：
ＭＣＵ４０からシステムリセット信号ｎＲＥＳＥＴが与えられると、全てのレジスタ５２，５３，５６及びラッチ回路５４，５５，５７がリセットされる。
【００４６】
ステップＳ２：
ＭＣＵ４０からクロックセレクタ５１へ信号ＣＬＫＳＥＬ［１：０］が与えられ、クロックセレクタ５１が、シリアル通信用データの種類を旧画像データにセットする。
【００４７】
ステップＳ３：
ＭＣＵ４０から旧ＳＥＧデータシフトレジスタ５３へ、黒（Ｂ）又は白（Ｗ）の旧画像データＤＡＴＡがシリアル通信により転送される。旧ＳＥＧデータシフトレジスタ５３は、シリアル通信にて転送された旧画像データＤＡＴＡを順次シフトしていき、パラレルデータに変換する。
【００４８】
ステップＳ４：
ＭＣＵ４０からクロックセレクタ５１へ次の信号ＣＬＫＳＥＬ［１：０］が与えられ、クロックセレクタ５１が、シリアル通信用データの種類を新画像データにセットする。
【００４９】
ステップＳ５：
ＭＣＵ４０から新ＳＥＧデータシフトレジスタ５２へ、黒（Ｂ）又は白（Ｗ）の新画像データＤＡＴＡがシリアル通信により転送される。新ＳＥＧデータシフトレジスタ５２は、シリアル通信にて転送された新画像データＤＡＴＡを順次シフトしていき、パラレルデータに変換する。
【００５０】
ステップＳ６：
ＭＣＵ４０から新ＳＥＧデータラッチ回路５４及び旧ＳＥＧデータラッチ回路５５へ与えられるラッチイネーブル信号ＬＮがアサートされる。これにより、新ＳＥＧデータラッチ回路５４及び旧ＳＥＧデータラッチ回路５５は、新ＳＥＧデータシフトレジスタ５２及び旧ＳＥＧデータシフトレジスタ５３から出力されるパラレル新画像データ及びパラレル旧画像データをそれぞれ取り込む。その後、ラッチイネーブル信号ＬＮがディセーブルになる。
【００５１】
ステップＳ７：
ＭＣＵ４０からクロックセレクタ５１へ次の信号ＣＬＫＳＥＬ［１：０］が与えられ、クロックセレクタ５１が、シリアル通信用データの種類を波形データにセットする。
【００５２】
ステップＳ８：
ＭＣＵ４０から波形データシフトレジスタ５６へ、セグメント用及びコモン用の波形データＤＡＴＡがシリアル通信により転送される。波形データシフトレジスタ５６は、シリアル通信にて転送されたセグメント用及びコモン用の波形データＤＡＴＡを順次シフトしていき、パラレルデータに変換する。
【００５３】
ステップＳ９：
ＭＣＵ４０から波形ラッチ回路５７へ与えられるラッチイネーブル信号ＷＬＮがアサートされる。これにより、波形ラッチ回路５７は、波形データシフトレジスタ５６から出力されるパラレルなセグメント及びコモン波形データを取り込む。この取り込みのタイミングが、ドライバ出力の変化点となる。その後、ラッチイネーブル信号ＷＬＮがディセーブルになる。波形ラッチ回路５７に取り込まれたセグメント及びコモン波形データは、４ｔｏｌセレクタ５８−１，５８−２，・・・群で選択された後、ドライバ５９で駆動され、セグメント電圧Ｖｓｅｇ１〜Ｖｓｅｇｘ及びコモン電圧Ｖｃｏｍがセグメント電極ＳＥＧ１〜ＳＥＧｘ及びコモン電極ＣＯＭへそれぞれ供給されて、液晶表示素子１１に書き込まれ、画像表示される。
【００５４】
ステップＳ１０：
前記ステップＳ７〜Ｓ８が、必要な出力波形の回数（例えば、５回）分だけ繰り返される。
【００５５】
ステップＳ１１：
液晶表示素子１１への書き込みが終了する。
【００５６】
（実施例１の効果）
本実施例１によれば、次の（Ａ）〜（Ｄ）のような効果がある。
【００５７】
（Ａ）  効果１
従来の表示駆動装置３０では、データシフトレジスタ３１からデータラッチ回路３２へ、色を表示するために必要な図２の５期間（１）〜（５）のデータ全てを送っている。これに対し、本実施例１の表示駆動装置５０では、色を表示するために必要な図２の５期間（１）〜（５）の波形データの組み合わせ（４通り）を一旦波形ラッチ回路５７に格納し、４ｔｏ１セレクタ５８−１，５８−２，・・・群により選択して出力している。これにより、波形データシフトレジスタ５６から波形ラッチ回路５７への外部のＭＣＵ４０からのデータ送信を、初期段階のみに抑えられることで、通信における消費電流を大幅に低減できる。
【００５８】
言い換えると、従来では、常にデータシフトレジスタ３１からデータラッチ回路３２へ通信するために、外部のＭＣＵ２０からのデータ送信がある。これに対し、本実施例１の場合、通信の初期段階は、波形データシフトレジスタ５６から波形ラッチ回路５７へ通信するために、外部のＭＣＵ４０からのデータ送信があるが、初期段階以降は、波形データシフトレジスタ５６から波形ラッチ回路５７へ通信するために、外部のＭＣＵ４０からのデータ送信がない。そのため、波形データシフトレジスタ５６から波形ラッチ回路５７へ通信するために動作する外部のＭＣＵ４０の消費電力を低減できる。
【００５９】
従って、本実施例１によれば、通信量を低減することで低消費電力及び低性能のＭＣＵ４０でも動作させることができるので、ＭＣＵ４０の低消費電力化及びＭＣＵ４０の低コスト化を達成できる。
【００６０】
（Ｂ）  前記（Ａ）の具体例
従来の表示駆動装置３０の場合、図２で示した液晶表示パネル１０への５回の位相波形を生成するために必要なシリアル通信のサイクル数を計算すると、単純に次の式で求めることができる。
５×２×ｘサイクル
【００６１】
この式の「２」は、図２のような各データ量が２ｂｉｔである場合を例として示しており、「ｘ」は（セグメント数＋コモン数）を示している（但し、ｘは任意の値）。これは、液晶表示パネル書き換え位相毎に、ドライバ５９から出力する波形をデータとして与える必要があるからである。
【００６２】
これに対し、本実施例１の表示駆動装置５０によるシリアル通信でのサイクル数は、
（２×ｘ）＋（５×４×２）サイクル
となる。この式において、「２×ｘ」は、旧画像データと新画像データの転送数を示しており、「５×４×２」の「５］は、５回の液晶表示パネル書き込みの位相を示し、「４」は、旧画像データと新画像データの組み合わせが４種ということを示している。更に、「２」は、その４種類の波形データのデータ量が２ｂｉｔであることを示している。
【００６３】
セグメント電極ＳＥＧ１〜ＳＥＧｘの数が大きければ大きい程、５×４×２＝４０サイクルは殆んど無視できる値となり、従来の表示駆動装置３０と本実施例１の表示駆動装置５０でのシリアル通信のサイクル数の差は、８×ｘと近似できる。例えば、セグメント電極ＳＥＧ１〜ＳＥＧｘとコモン電極ＣＯＭの数の合計が１０００だとすると、８０００サイクルのシリアル通信が不要になることを示しており、本実施例１では、シリアル通信での消費電力が低減されることが分かる。
【００６４】
（Ｃ）  効果２
表示駆動装置５０にシリアル通信を行うＭＣＵ４０側のデータ処理の立場から、本実施例１の効果を説明する。
【００６５】
従来のＭＣＵ２０だと、全てのセグメント電極ＳＥＧ１〜ＳＥＧｘに対して前表示と次表示のデータＤＡＴＡを得て、全てのセグメント電極ＳＥＧ１〜ＳＥＧｘの出力電圧情報をシリアル通信しなければならない。これに対し、本実施例１のＭＣＵ４０の場合、表示データＤＡＴＡの情報はそのままシフトレジスタ５２，５３へシリアル通信し、出力電圧の組み合わせ４種（Ｗ→Ｗ，Ｗ→Ｂ，Ｂ→Ｗ，Ｂ→Ｂ）とコモン電極ＣＯＭの波形データＤＡＴＡのみを演算（若しくはロード）し、レジスタ５６へシリアル通信を行う。そのため、
シリアル転送のデータ量は、
従来のＭＣＵ２０  ≫  本実施例１のＭＣＵ４０
となり、ＭＣＵ２０，４０の演算処理能力は、
従来のＭＣＵ２０  ≫  本実施例１のＭＣＵ４０
となる。
【００６６】
（Ｄ）  前記（Ｃ）の詳細説明
従来の表示駆動装置３０を使用した場合、図２で示した５回（１）〜（５）の位相波形を生成するために、ＭＣＵ２０側では、各位相毎に画像メモリ２１から読み出した旧画像データと新画像データから、駆動すべき次出力データを演算し、シリアル通信を使用してデータシフトレジスタ３１へデータＤＡＴＡを送らなければならない。しかも、このデータ転送の演算とシリアル通信は、表示駆動装置３０の１出力位相期間中（図２の（１）、（２）、（３）、（４）のそれぞれの期間）に完了しなければならず、セグメント電極ＳＥＧ１〜ＳＥＧｘの数が増えれば増える程、高速演算処理と高速シリアル通信が要求されることとなる。
【００６７】
これに対し、本実施例１の表示駆動装置５０を利用した場合、ＭＣＵ４０は画像メモリ４１から読み出した旧画像データと新画像データを殆んど演算処理することなく、そのままシリアル通信で、最初にレジスタ５２，５３へ送ることができる。そして、表示駆動装置５０の１出力位相期間中（図２の（１）、（２）、（３）、（４）のそれぞれの期間）に各組み合わせの波形データＤＡＴＡをレジスタ５６へシリアル通信すればよいだけである。そのため、セグメント電極ＳＥＧ１〜ＳＥＧｘの数が増えた場合でも、最初（図２の（１）の前）のシリアル通信におけるデータ転送の数が増えるだけで、その後の演算に差異はない。
【００６８】
このことから、本実施例１の表示駆動装置５０を利用した場合に使用するＭＣＵ４の演算能力は低いものを利用しても問題とならないことが分かる。演算能力の低いＭＣＵ４０が利用できるということは、つまりＭＣＵ４０での消費電力も低減することができるということがいえる。
【００６９】
（変形例）
本発明は、上記実施例１に限定されず、種々の利用形態や変形が可能である。この利用形態や変形例としては、例えば、次の（ａ）〜（ｅ）のようなものがある。
【００７０】
（ａ）  実施例１では、電子ペーパ向け表示駆動装置５０における低消費電力回路方式について説明したが、旧画像データと新画像データでドライブする波形が決定される特性をもつ全ての表示パネル用の表示駆動装置に適用することが可能である。
【００７１】
（ｂ）  実施例１では、波形データＤＡＴＡを外部のＭＣＵ４０からシリアル通信にて転送する形態（図１の波形ラッチ回路５７、波形データシフトレジスタ５６）で示したが、これは出力する波形が自由に設定できるような汎用性を持たした実施例にすぎず、仕様上出力する波形が不動である表示パネルに適用する場合、つまり特定用途向け表示パネル用の表示駆動装置を開発する場合、表示駆動装置内部で決まった波形を生成するようなデータ生成手段を用意することも可能である。
【００７２】
（ｃ）  実施例１では、旧画像データと新画像データを転送後、一旦内部でラッチするラッチ回路５４，５５を設けているが、信号ＣＬＫＳＥＬにて完全にクロック供給を遮断する場合、表示駆動装置５０が出力する波形は内部の波形ラッチ回路５７の出力に依存するので、ラッチ回路５４，５５を省き、レジスタ５２，５３にシフトレジスタ出力をそのままセレクタ５８−１，５８−２，・・・群の選択制御信号とすることも可能である。
【００７３】
（ｄ）  実施例１では、シリアル通信でのデータ転送を示しているが、これはあくまでデータ転送の１形態を示しているに過ぎず、データ転送の回数は軽減されるという意味から、その他の通信規格についても効果が得られるといえる。実施例１では、シフトレジスタ５２，５３とラッチ回路５４，５５にて新旧表示データを記憶する形態を示しているが、内部にメモリを搭載し新旧表示データを記憶するという手法も包含される。
【００７４】
（ｅ）  実施例１ではコモン電極ＣＯＭについては１つで説明しているが、コモン電極ＣＯＭの数を制限するものではなく、複数必要な場合も包含される。
【符号の説明】
【００７５】
１０      液晶表示パネル
１１      液晶表示素子
４０      ＭＣＵ
５０      表示駆動装置
５２，５３，５６      シフトレジスタ
５４，５５，５７      ラッチ回路
５８−１，５８−２      セレクタ
５９      ドライバ
【図１】
2010231064.tif 000003
【図２】
2010231064.tif 000004
【図３】
2010231064.tif 000005